(57)【特許請求の範囲】
【請求項１】
移動端末に割り当てる無線リソースを決定する無線リソース割当装置であって、
割り当て対象として選択した移動端末に最良の特性が得られる周波数のブロック割当領域の無線リソースを割り当てるか否かを判定する最適無線リソース割当判定部と、
前記最適無線リソース割当判定部により、前記移動端末に前記ブロック割当領域の無線リソースを割り当てないと判定された場合、前記移動端末に分散割当領域の無線リソースを割り当てるか否かを判定する分散割当判定部と、
前記分散割当判定部により、前記移動端末に前記分散割当領域の無線リソースを割り当てないと判定された場合、前記移動端末に最良の特性が得られる周波数以外のブロック割当領域の無線リソースを割り当てるか否かを判定する無線リソース割当判定部と、
を備えたことを特徴とする無線リソース割当装置。
【請求項２】
移動端末に割り当てる無線リソースを決定する無線リソース割当装置であって、
割り当て対象として選択した移動端末に最良の特性が得られる周波数のブロック割当領域の無線リソースを割り当てるか否かを判定する最適無線リソース割当判定部と、
前記最適無線リソース割当判定部により、前記移動端末に前記ブロック割当領域の無線リソースを割り当てないと判定された場合、前記移動端末に分散割当領域の無線リソースを割り当てるか否かを判定する分散割当判定部と、
前記分散割当判定部により、前記移動端末に前記分散割当領域の無線リソースを割り当てないと判定された場合、最良の特性が得られる周波数以外のブロック割当領域の無線リソースについて配置を特定せずに無線リソース量を確保する無線リソース割当判定部と、
を備え、
前記無線リソース割当判定部は、前記最適無線リソース割当判定部の判定により割り当てた無線リソースの量と前記分散割当判定部の判定により割り当てた無線リソースの量と前記無線リソース割当判定部により確保した無線リソース量の合計が、移動端末が通信に使用できるデータチャネルが有する無線リソースの合計量である全無線リソース割当量より少ない状態ではなくなった場合に、前記確保した無線リソース量の配置の割り当てを優先度の高い移動端末から順に決定する
ことを特徴とする無線リソース割当装置。
【請求項３】
請求項１または２に記載の無線リソース割当装置と、
前記無線リソース割当装置によって決定された無線リソースを各移動端末に割り当てる無線リソースマッピング部と、
を備えたことを特徴とする無線装置。
【請求項４】
移動端末に割り当てる無線リソースを決定する無線リソース割当方法であって、
割り当て対象として選択した移動端末に最良の特性が得られる周波数のブロック割当領域の無線リソースを割り当てるか否かを判定する最適無線リソース割当判定ステップと、
前記最適無線リソース割当判定ステップにより、前記移動端末に前記ブロック割当領域に割り当てないと判定された場合、前記移動端末に分散割当領域の無線リソースを割り当てるか否かを判定する分散割当判定ステップと、
前記分散割当判定ステップにより、前記移動端末に前記分散割当領域の無線リソースを割り当てないと判定された場合、前記移動端末に最良の特性が得られる周波数以外のブロック割当領域の無線リソースを割り当てるか否かを判定する無線リソース割当判定ステップと、
を含むことを特徴とする無線リソース割当方法。
【請求項５】
移動端末に割り当てる無線リソースを決定する無線リソース割当方法であって、
割り当て対象として選択した移動端末に最良の特性が得られる周波数のブロック割当領域の無線リソースを割り当てるか否かを判定する最適無線リソース割当判定ステップと、
前記最適無線リソース割当判定ステップにより、前記移動端末に前記ブロック割当領域に割り当てないと判定された場合、前記移動端末に分散割当領域の無線リソースを割り当てるか否かを判定する分散割当判定ステップと、
前記分散割当判定ステップにより、前記移動端末に前記分散割当領域の無線リソースを割り当てないと判定された場合、最良の特性が得られる周波数以外のブロック割当領域の無線リソースについて配置を特定せずに無線リソース量を確保する無線リソース割当確保ステップと、
前記最適無線リソース割当判定ステップの判定により割り当てた無線リソースの量と前記分散割当判定ステップの判定により割り当てた無線リソースの量と前記無線リソース割当確保ステップにより確保した無線リソース量の合計が、移動端末が通信に使用できるデータチャネルが有する無線リソースの合計量である全無線リソース割当量より少ない状態ではなくなった場合に、前記確保した無線リソース量の配置の割り当てを優先度の高い移動端末から順に決定する無線リソース割当決定ステップと、
を含むことを特徴とする無線リソース割当方法。
【請求項６】
移動端末に割り当てる無線リソースを決定するコンピュータプログラムであって、
割り当て対象として選択した移動端末に最良の特性が得られる周波数のブロック割当領域の無線リソースを割り当てるか否かを判定する最適無線リソース割当判定ステップと、
前記最適無線リソース割当判定ステップにより、前記移動端末に前記ブロック割当領域に割り当てないと判定された場合、前記移動端末に分散割当領域の無線リソースを割り当てるか否かを判定する分散割当判定ステップと、
前記分散割当判定ステップにより、前記移動端末に前記分散割当領域の無線リソースを割り当てないと判定された場合、前記移動端末に最良の特性が得られる周波数以外のブロック割当領域の無線リソースを割り当てるか否かを判定する無線リソース割当判定ステップと、
をコンピュータに実行させることを特徴とするコンピュータプログラム。
【請求項７】
移動端末に割り当てる無線リソースを決定するコンピュータプログラムであって、
割り当て対象として選択した移動端末に最良の特性が得られる周波数のブロック割当領域の無線リソースを割り当てるか否かを判定する最適無線リソース割当判定ステップと、
前記最適無線リソース割当判定ステップにより、前記移動端末に前記ブロック割当領域に割り当てないと判定された場合、前記移動端末に分散割当領域の無線リソースを割り当てるか否かを判定する分散割当判定ステップと、
前記分散割当判定ステップにより、前記移動端末に前記分散割当領域の無線リソースを割り当てないと判定された場合、最良の特性が得られる周波数以外のブロック割当領域の無線リソースについて配置を特定せずに無線リソース量を確保する無線リソース割当確保ステップと、
前記最適無線リソース割当判定ステップの判定により割り当てた無線リソースの量と前記分散割当判定ステップの判定により割り当てた無線リソースの量と前記無線リソース割当確保ステップにより確保した無線リソース量の合計が、移動端末が通信に使用できるデータチャネルが有する無線リソースの合計量である全無線リソース割当量より少ない状態ではなくなった場合に、前記確保した無線リソース量の配置の割り当てを優先度の高い移動端末から順に決定する無線リソース割当決定ステップと、
をコンピュータに実行させることを特徴とするコンピュータプログラム。
【発明の詳細な説明】
【技術分野】
【０００１】
本発明は、無線リソース割当装置、無線リソース割当方法、無線装置及びコンピュータプログラムに関する。
【背景技術】
【０００２】
近年、第３世代（３Ｇ）移動体通信システムの後継システム（次世代セルラシステム）に関する標準規格の検討が、標準化プロジェクト「３ＧＰＰ：３ｒｄ  Ｇｅｎｅｒａｔｉｏｎ  Ｐａｒｔｎｅｒｓｈｉｐ  Ｐｒｏｊｅｃｔ、３ＧＰＰ２：３ｒｄ  Ｇｅｎｅｒａｔｉｏｎ  Ｐａｒｔｎｅｒｓｈｉｐ  Ｐｒｏｊｅｃｔ  ２」で行われている。次世代セルラシステムでは多重アクセス方式としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ，直交周波数分割多元接続）が利用され、その検討課題の一つに、下りリンク（無線基地局から移動端末へ向かう方向のリンク）の無線リソース割当がある。
【０００３】
図４は、従来の無線リソース配置方法を示す概略図である。非特許文献１に記載された技術では、下りリンクにおいて、ＢＲＣＨ（Ｂｌｏｃｋ  Ｒｅｓｏｕｒｃｅ  Ｃｈａｎｎｅｌ）、ＤＲＣＨ（Ｄｉｓｔｒｉｂｕｔｅｄ  Ｒｅｓｏｕｒｃｅ  Ｃｈａｎｎｅｌ）と呼ばれる無線リソース配置方法が採用されている。１６サブキャリア×８ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，直交波周波数分割多重）シンボルを各移動端末宛の無線リソースの割当単位（ＢｅｓｅＮｏｄｅ：ＢＮ）とし、ＢＲＣＨは１ＢＮを連続した無線リソースに対して割り当てるのに対し、ＤＲＣＨは１ＢＮを分散させて割り当てる。ＢＲＣＨはある移動端末にとって最良な周波数帯域を割り当てることができれば大変良い特性が得られる配置方法である。また、ＤＲＣＨは周波数帯を分散させることによって通信の安定性を向上させる周波数ダイバーシチ効果のある配置方法である。
【０００４】
また、これらＢＲＣＨ、ＤＲＣＨの無線リソースの配置として、「Ｍｕｌｔｉｐｌｅｘｉｎｇ  Ｍｏｄｅ  １」と「Ｍｕｌｔｉｐｌｅｘｉｎｇ  Ｍｏｄｅ  ２」が採用されている。「Ｍｕｌｔｉｐｌｅｘｉｎｇ  Ｍｏｄｅ  １」では、ＢＲＣＨ領域の中にＤＲＣＨとして割り当てられた無線リソースが埋め込まれている。図４に示す例では、「ＤＲＣＨ  Ｓｔｒｕｃｔｕｒｅｓ」と示されたセルがＤＲＣＨの無線リソースであり、「ＢＲＣＨ  Ｓｔｒｕｃｔｕｒｅｓ」と示されたセルがＢＲＣＨの無線リソースである。また、「Ｍｕｌｔｉｐｌｅｘｉｎｇ  Ｍｏｄｅ  ２」では、ＢＲＣＨとして割り当てられる領域（図４（ｂ）中の「ＢＲＣＨ  ｚｏｎｅ」と示された領域）とＤＲＣＨとして割り当てられる領域（図４（ｂ）中の「ＤＲＣＨ  ｚｏｎｅ」と示された領域）が分かれている。これらの無線リソース配置方法は、オペレータによって選択が可能である。なお、各移動端末へ無線リソースを割り当てる際には、ＢＲＣＨとＤＲＣＨの配置は決定されており、区画化された無線リソース領域に各移動端末への無線リソースを割り当てなければならない。
【０００５】
非特許文献２記載の従来技術では、移動端末に無線リソースを割り当てる際に必要な情報の一部は各移動端末から通知される。各移動端末は、下りリンクの伝搬路特性を調べ、データチャネルに利用される全帯域の平均的な特性と最良なサブバンドにおける特性を基地局に通知する。ここで、サブバンドとは、複数のサブキャリアを含む周波数帯域のことである。
【非特許文献１】3GPP2, C.S0084-001-0 v2.0, “Physical Layer for Ultra Mobile Broadband (UMB) Air Interface Specification,” September 2007
【非特許文献２】3GPP2, C.S0084-002-0 v2.0, “Medium Access Control Layer for Ultra Mobile Broadband (UMB) Air Interface Specification,” September 2007
【発明の開示】
【発明が解決しようとする課題】
【０００６】
しかしながら、上述した従来技術では、どのような基準でＢＲＣＨ領域、もしくはＤＲＣＨ領域の無線リソースを移動端末に割り当てるのかの検討が行われていない。これらは、非特許文献１及び２では実装依存の技術とされているが、移動端末の優先度情報をもとに、（１）優先度の高い移動端末から順にＤＲＣＨ領域、ＢＲＣＨ領域の順で割り当てる方法、又は、（２）優先度の高い移動端末から順にＢＲＣＨ領域、ＤＲＣＨ領域の順で割り当てる方法が容易に想定できる。
しかしながら、上記方法（１）の場合、ある移動端末にとっては、ＤＲＣＨ領域の無線リソースを割り当てるよりも、当該移動端末にとって最良なサブバンドのＢＲＣＨ領域の無線リソースを割り当てる方が良好な特性が得られる場合がある、という問題がある。
また、上記方法（２）の場合、ある移動端末に最良なサブバンドのＢＲＣＨ領域の無線リソースを割り当てできない場合、当該移動端末には、最良でないサブバンドのＢＲＣＨ領域の無線リソースを割り当てることとなる。この場合、平均的な周波数帯を取れるＤＲＣＨ領域の無線リソースを割り当てる方が良好な特性が得られる可能性がある、という問題がある。
このように、優先度の高い移動端末が必ずしも優良な無線リソースを割り当てられるわけではない。また、優先度の高い移動端末が優良な無線リソースを割り当てられない場合が発生することにより、システムスループットの低下に繋がる。
本発明は上記の点に鑑みてなされたものであり、その目的は、無線リソース割当を行う移動通信システムにおいて、各移動端末に対して無線リソースを有効に割り当てることができる無線リソース割当装置、無線リソース割当方法、無線装置及びコンピュータプログラムを提供することにある。
【課題を解決するための手段】
【０００７】
本発明は上記の課題を解決するためになされたものであり、本発明の一態様は、移動端末に割り当てる無線リソースを決定する無線リソース割当装置であって、最良の特性が得られる周波数のブロック割当領域の無線リソースを割り当てるか否かを判定する最適無線リソース割当判定部と、前記最適無線リソース割当判定部により、前記ブロック割当領域の無線リソースを割り当てないと判定された場合、分散割当領域の無線リソースを割り当てるか否かを判定する分散割当判定部と、前記分散割当判定部により、前記分散割当領域に割り当てないと判定された場合、最良の特性が得られる周波数以外のブロック割当領域の無線リソースを割り当てるか否かを判定する無線リソース割当判定部と、を備えたことを特徴とする無線リソース割当装置である。
【０００８】
また、本発明の一態様は、移動端末に割り当てる無線リソースを決定する無線リソース割当装置であって、最良の特性が得られる周波数のブロック割当領域の無線リソースを割り当てるか否かを判定する最適無線リソース割当判定部と、前記最適無線リソース割当判定部により、前記ブロック割当領域の無線リソースを割り当てないと判定された場合、分散割当領域の無線リソースを割り当てるか否かを判定する分散割当判定部と、前記分散割当判定部により、前記分散割当領域に割り当てないと判定された場合、無線リソースを確保する無線リソース割当判定部と、を備え、前記無線リソース割当判定部は、前記確保した無線リソースの割り当てを優先度の高い移動端末から順に決定することを特徴とする無線リソース割当装置である。
【０００９】
また、本発明の一態様は、上記の無線リソース割当装置と、前記無線リソース割当装置によって決定された無線リソースを各移動端末に割り当てる無線リソースマッピング部とを備えたことを特徴とする無線装置である。
【００１０】
また、本発明の一態様は、移動端末に割り当てる無線リソースを決定する無線リソース割当方法であって、最良の特性が得られる周波数のブロック割当領域の無線リソースを割り当てるか否かを判定する最適無線リソース割当判定ステップと、前記最適無線リソース割当判定ステップにより、前記ブロック割当領域に割り当てないと判定された場合、分散割当領域の無線リソースを割り当てるか否かを判定する分散割当判定ステップと、前記分散割当判定ステップにより、前記分散割当領域に割り当てないと判定された場合、最良の特性が得られる周波数以外のブロック割当領域の無線リソースを割り当てるか否かを判定する無線リソース割当判定ステップと、を含むことを特徴とする無線リソース割当方法である。
【００１１】
また、本発明の一態様は、移動端末に割り当てる無線リソースを決定する無線リソース割当方法であって、最良の特性が得られる周波数のブロック割当領域の無線リソースを割り当てるか否かを判定する最適無線リソース割当判定ステップと、前記最適無線リソース割当判定ステップにより、前記ブロック割当領域に割り当てないと判定された場合、分散割当領域の無線リソースを割り当てるか否かを判定する分散割当判定ステップと、前記分散割当判定ステップにより、前記分散割当領域に割り当てないと判定された場合、無線リソースを確保する無線リソース割当確保ステップと、前記確保した無線リソースの割り当てを優先度の高い移動端末から順に決定する無線リソース割当決定ステップと、を含むことを特徴とする無線リソース割当方法である。
【００１２】
また、本発明の一態様は、移動端末に割り当てる無線リソースを決定するコンピュータプログラムであって、最良の特性が得られる周波数のブロック割当領域の無線リソースを割り当てるか否かを判定する最適無線リソース割当判定ステップと、前記最適無線リソース割当判定ステップにより、前記ブロック割当領域に割り当てないと判定された場合、分散割当領域の無線リソースを割り当てるか否かを判定する分散割当判定ステップと、前記分散割当判定ステップにより、前記分散割当領域に割り当てないと判定された場合、最良の特性が得られる周波数以外のブロック割当領域の無線リソースを割り当てるか否かを判定する無線リソース割当判定ステップと、をコンピュータに実行させることを特徴とするコンピュータプログラムである。
【００１３】
また、本発明の一態様は、移動端末に割り当てる無線リソースを決定するコンピュータプログラムであって、最良の特性が得られる周波数のブロック割当領域の無線リソースを割り当てるか否かを判定する最適無線リソース割当判定ステップと、前記最適無線リソース割当判定ステップにより、前記ブロック割当領域に割り当てないと判定された場合、分散割当領域の無線リソースを割り当てるか否かを判定する分散割当判定ステップと、前記分散割当判定ステップにより、前記分散割当領域に割り当てないと判定された場合、無線リソースを確保する無線リソース割当確保ステップと、前記確保した無線リソースの割り当てを優先度の高い移動端末から順に決定する無線リソース割当決定ステップと、をコンピュータに実行させることを特徴とするコンピュータプログラムである。
【発明の効果】
【００１４】
本発明によれば、無線リソース割当装置は、最良の特性が得られる周波数のブロック割当領域、分散領域、最良の特性が得られる周波数以外のブロック割当領域、の順に無線リソースを選択していくので、優先度の高い移動端末が最適な無線リソースを利用することができる。これにより、通信品質の向上、システム容量の増大を図ることが可能になる。
【発明を実施するための最良の形態】
【００１５】
以下、図面を参照しながら本発明の実施形態について詳しく説明する。
図１は、本発明による無線装置１の構成を示すブロック図である。本実施形態における無線装置１は、無線リソース割当装置１０と、無線リソースマッピング部２０と、を含んで構成される。無線装置１は、各移動端末の優先度情報と、各移動端末の全帯域における送信無線リソース量情報と、各移動端末の最良サブバンドにおける送信無線リソース量情報と、各移動端末の最良サブバンド情報と、を入力とし、優先度の高い移動端末から順に、後述する処理を実行して、ＯＦＤＭＡ方式の下りリンク（無線基地局から移動端末へ向かう方向のリンク）における無線リソースの割り当てを行う。ここで、優先度情報は、その移動端末の優先度を示す情報である。優先度は、スケジューリングアルゴリズム（Ｐｒｏｐｏｒｔｉｏｎａｌ  Ｆａｉｒｎｅｓｓ法やＲｏｕｎｄ  Ｒｏｂｉｎ法など）によって決定される。また、送信無線リソース量情報は、その移動端末に対して必要な無線リソース量がＢＮ単位で示された情報である。必要な無線リソース量は、基地局からその移動端末宛の送信データのバッファ量と下りリンクの伝播路特性から求める。下りリンクの伝播路特性は移動端末から通知される。最良サブバンド情報は、その移動端末にとってどのサブバンドが最良の特性が得られるかを示した情報である。
【００１６】
無線リソース割当装置１０は最適サブバンド割当判定部１１（最適無線リソース割当判定部）と、ＤＲＣＨ割当判定部１２（分散割当判定部）と、無線リソース割当判定部１３と、を含んで構成される。無線リソース割当装置１０は、割当対象移動端末の全帯域における送信無線リソース量情報と、割当対象移動端末の最良サブバンドにおける送信無線リソース量情報と、割当対象移動端末の最良サブバンド情報と、を入力とし、割当対象移動端末に割り当てる無線リソースを決定し、割当無線リソース情報を無線リソースマッピング部２０に出力する。ここで、割当無線リソース情報は、割当対象移動端末に対してどの無線リソースを割り当てるかを示す情報である。
無線リソースマッピング部２０は、無線リソース割当装置１０から通知された割当無線リソース情報を基に、各移動端末へ無線リソースを割り当てる。
【００１７】
最適サブバンド割当判定部１１は、最良の特性が得られるサブバンド（以下、最良なサブバンドと呼ぶ）のＢＲＣＨ領域（ブロック割当領域）の無線リソースを割当対象移動端末に割り当て可能か否かを判断する。ここで、最適サブバンド割当判定部１１は、割当対象移動端末の全帯域における送信無線リソース量情報と、割当対象移動端末の最良サブバンドにおける送信無線リソース量情報と、割当対象移動端末の最良サブバンド情報と、を入力とする。
【００１８】
具体的には、最適サブバンド割当判定部１１は、最良サブバンドにおける必要な無線リソース量を最良なサブバンドのＢＲＣＨ領域に割り当てることができるか否かを判定する。ここで、例えば、最適サブバンド割当判定部１１は、必要な無線リソース量に対する十分な空きが最良なサブバンドのＢＲＣＨ領域にある場合には、割当対象移動端末に無線リソースを割り当てることができると判定し、空きがない場合には、割り当てることができないと判定する。
【００１９】
割当対象移動端末に最良なサブバンドのＢＲＣＨ領域の無線リソースを割り当て可能な場合、最適サブバンド割当判定部１１は、最良なサブバンドのＢＲＣＨ領域の無線リソースを割当対象移動端末に割り当てることを決定し、無線リソースマッピング部２０に割当無線リソース情報を通知する。割り当てができない場合、最適サブバンド割当判定部１１は、割当対象移動端末の全帯域における送信無線リソース量情報をＤＲＣＨ割当判定部１２に出力する。
【００２０】
ＤＲＣＨ割当判定部１２は、ＤＲＣＨ領域（分散割当領域）の無線リソースを割当対象移動端末に割り当て可能か否かを判断する。具体的には、ＤＲＣＨ割当判定部１２は、全帯域における必要な無線リソース量をＤＲＣＨ領域に割り当てることができるか否かを判定する。ここで、例えば、ＤＲＣＨ割当判定部１２は、必要な無線リソース量に対する十分な空きがＤＲＣＨ領域ある場合には、割当対象移動端末に無線リソースを割り当てることができると判定し、空きがない場合には、割り当てることができないと判定する。
【００２１】
割当対象移動端末にＤＲＣＨ領域の無線リソースを割り当て可能な場合、ＤＲＣＨ割当判定部１２は、ＤＲＣＨ領域の無線リソースを割当対象移動端末に割り当てることを決定し、割当無線リソース情報を無線リソースマッピング部２０へと通知する。割り当てができない場合、ＤＲＣＨ割当判定部１２は、割当対象移動端末の全帯域における送信無線リソース量情報を無線リソース割当判定部１３に出力する。
【００２２】
無線リソース割当判定部１３は、ＢＲＣＨ領域の無線リソースを割当対象移動端末に割り当て可能か否かを判断する。具体的には、全帯域における必要な無線リソース量をＢＲＣＨ領域に割り当てることができるか否かを判定する。ただし、判定対象となるのは、最良なサブバンドのＢＲＣＨ領域以外のＢＲＣＨ領域である。ここで、例えば、無線リソース割当判定部１３は、必要な無線リソース量に対する十分な無線リソースの空きがＢＲＣＨ領域ある場合には、割当対象移動端末に無線リソースを割り当てることができると判定し、空きがない場合には、割り当てることができないと判定する。割り当てることができる場合、無線リソース割当判定部１３は、ＢＲＣＨ領域の無線リソースを割当対象移動端末に割り当てることを決定し、割当無線リソース情報を無線リソースマッピング部２０へと通知する。
【００２３】
なお、割り当てる無線リソースをどこに配置するかは、任意の規則に従って決定すればよい。例えば、ＢＲＣＨ領域の無線リソースを割り当てると決定した場合には、ＢＲＣＨ領域の端から順に配置してもよく、所定の規則に従って分散させて配置してもよく、ランダムに配置してもよい。ただし、最良のサブバンドの無線リソースを割り当てると決定した場合には、最良のサブバンド以外の無線リソースを割り当ててはならない。また、ＤＲＣＨ領域の無線リソースを割り当てると決定した場合には、例えば、所定の規則に従って分散させて配置させてもよく、ランダムに配置してもよい。
【００２４】
図２は、本実施形態の無線装置１における処理の流れの一例を表すフローチャートである。
無線装置１は、まず、各移動端末の優先度情報を基に優先度の最も高い移動端末を選択する（ステップＳ１）。次に、無線装置１は最適サブバンド割当判定部１１において、最良なサブバンドのＢＲＣＨ領域の無線リソースを、選択した移動端末に割り当て可能か否かを判断する（ステップＳ２）。最良なサブバンドのＢＲＣＨ領域の無線リソースを割り当て可能な場合、無線装置１は、該当領域の無線リソースをその移動端末に割り当る（ステップＳ３）。
【００２５】
最良なサブバンドのＢＲＣＨ領域の無線リソースを割り当てができない場合、無線装置１は、ＤＲＣＨ割当判定部１２において、ＤＲＣＨ領域の無線リソースを当該移動端末に割り当て可能か否かを判断する（ステップＳ４）。ＤＲＣＨ領域の無線リソースを割り当て可能な場合、無線装置１は、該当領域の無線リソースをその移動端末に割り当る（ステップＳ５）。ＤＲＣＨ領域の無線リソースを割り当てができない場合、無線装置１は、最良なサブバンド以外のＢＲＣＨ領域の無線リソースをその移動端末に割り当てる（ステップＳ６）。
【００２６】
次に、無線装置１は、今までに割り当てた無線リソースの合計量（合計無線リソース割当量）を計算する（ステップＳ７）。ここで、無線装置１は、どの移動端末にどれだけの無線リソース量を使用しているかを管理している。次に、無線装置１は、計算した合計無線リソース割当量が全無線リソース割当量よりも少ないか否かを判定する（ステップＳ８）。ここで、全無線リソース割当量とは、移動端末が通信に使用できるデータチャネルが有する無線リソースの合計量のことである。少ない場合（ステップＳ８：Ｙｅｓ）は、次に優先度が高い移動端末選択し（ステップＳ９）、上記ステップＳ１からＳ８までの処理を繰り返す。そうでない場合（ステップＳ８：Ｎｏ）には、割り当て処理を終了する。これは、無線リソースがすべて割り当てられたと判断するためである。
【００２７】
なお、合計無線リソース割当計算（上記ステップＳ７，Ｓ８）は、無線リソース割当（上記ステップＳ２）の前に行っても良い。その場合、合計無線リソース割当量が全無線リソース割当量より大きくなった場合、割当可能な範囲で無線リソースを割り当てて、割り当てを終了する。
【００２８】
このように、本実施形態によれば、無線リソース割当装置１０は、最良の特性が得られるサブバンドのＢＲＣＨ領域、ＤＲＣＨ領域、最良ではないサブバンドのＢＲＣＨ領域、の順に無線リソースを選択していくので、優先度の高い移動端末が最適な無線リソースを利用することができる。これにより、通信品質の向上、システム容量の増大を図ることが可能になる。
【００２９】
次に、この発明の第２の実施形態による無線装置１について説明する。
第１の実施形態おける無線リソース割当判定部１３では、ある移動端末Ａにとっての最良なサブバンド以外のサブバンドａのＢＲＣＨ領域の無線リソースを移動端末Ａに割り当てる場合がある。しかし、他の移動端末Ｂにとっては、そのサブバンドａが最良なサブバンドになることがある。この場合には、サブバンドａは、移動端末Ａに既に割り当てられているため、移動端末Ｂは使用できない。このため、無線リソースが充分に活用しきれていないという課題が残る。
そのため、本実施形態において、無線リソース割当判定部１３は、合計無線リソース割当量が、全無線リソース割当量より小さい場合には、無線リソースの確保のみを行い、割当リソース情報を無線リソースマッピング部２０へ通知しない。ここで行う無線リソースの確保は、リソース量のみの確保であり、配置までは特定しない。合計無線リソース割当量が、全無線リソース割当量以上になった場合には、無線リソース割当判定部１３は、その確保した無線リソース量の配置の割り当てを優先度の高い移動端末から順に決定し、割当リソース情報を無線リソースマッピング部２０へ通知する。
他の構成は第１の実施形態と同一であるので説明は省略する。
【００３０】
図３は本実施形態の無線装置１における処理の流れの一例を表すフローチャートである。
無線装置１は、まず、各移動端末の優先度情報を基に優先度の最も高い移動端末を選択する（ステップＳ１１）。次に、最良なサブバンドのＢＲＣＨ領域の無線リソースを、選択した移動端末に割り当て可能か否かを判断する（ステップＳ１２）。最良なサブバンドのＢＲＣＨ領域の無線リソースを割り当て可能な場合、無線装置１は、該当領域の無線リソースをその移動端末に割り当る（ステップＳ１３）。
【００３１】
最良なサブバンドのＢＲＣＨ領域の無線リソースを割り当てができない場合、無線装置１は、ＤＲＣＨ割当判定部１２において、ＤＲＣＨ領域の無線リソースを当該移動端末に割り当て可能か否かを判断する（ステップＳ１４）。ＤＲＣＨ領域の無線リソースを割り当て可能な場合、無線装置１は、該当領域の無線リソースをその移動端末に割り当る（ステップＳ１５）。ＤＲＣＨ領域の無線リソースを割り当てができない場合、無線装置１は、最良なサブバンド以外のＢＲＣＨ領域の無線リソースをその移動端末用に確保する（ステップＳ１６）。ここでは、リソース量のみの確保であり、配置までは特定しない。
【００３２】
次に、無線装置１は、合計無線リソース割当量を計算し（ステップＳ１７）、計算した合計無線リソース割当量が全無線リソース割当量よりも少ないか否かを判定する（ステップＳ１８）。少ない場合（ステップＳ１８：Ｙｅｓ）は、次に優先度が高い移動端末を選択し（ステップＳ１９）、上記ステップＳ１２からＳ１８までの処理を繰り返す。そうでない場合（ステップＳ１８：Ｎｏ）には、優先度の高い移動端末から順番に、確保した無線リソース量の配置の割り当てを行い（ステップＳ２０）、割り当てを終了する。
【００３３】
なお、合計無線リソース割当量の計算は、上記ステップＳ１３、Ｓ１５で割り当てた無線リソース量と、上記ステップＳ１６で確保した無線リソース量を、今までの合計無線リソース割当量に加えて行う。ここで、無線装置１は、どの移動端末にどれだけの無線リソース量を使用しているかを管理している。
【００３４】
なお、合計無線リソース割当計算（上記ステップＳ１７，Ｓ１８）は、無線リソース割当（上記ステップＳ１２）の前に行っても良い。その場合、合計無線リソース割当量が全無線リソース割当量より大きくなった場合、割当可能な範囲で無線リソースを割り当てて、割り当てを終了する。
【００３５】
このように、本実施形態によれば、ＢＲＣＨ領域の無線リソースの割当を行う際に、無線装置１は、あらかじめ所要量分の無線リソースを確保しておき、最後に優先度の高い移動端末から優良な無線リソースを割り当てていくため、優先度の高い移動端末には、より良い無線リソースが割当られる。これにより、通信品質の向上、システム容量の増大を図ることが可能になる。
【００３６】
また、図１に示す無線装置１の機能を実現するためのプログラムをコンピュータ読み取り可能な記録媒体に記録して、この記録媒体に記録されたプログラムをコンピュータシステムに読み込ませ、実行することにより、無線リソースの割り当て処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００３７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３８】
以上、図面を参照してこの発明の一実施形態について詳しく説明してきたが、具体的な構成は上述のものに限られることはなく、この発明の要旨を逸脱しない範囲内において様々な設計変更等をすることが可能である。
なお、本実施形態においては、無線リソース配置方法に関し、ブロック割当としてＢＲＣＨを例に挙げたが、ＢＲＣＨ以外の方法でもよい。また、無線リソース配置方法に関し、分散割当としてＤＲＣＨを例に挙げたが、ＤＲＣＨ以外の方法でもよい。
【図面の簡単な説明】
【００３９】
【図１】本発明による無線装置の構成を示すブロック図である。
【図２】第１の実施形態の無線装置における処理の流れの一例を表すフローチャートである。
【図３】第２の実施形態の無線装置における処理の流れの一例を表すフローチャートである。
【図４】従来の無線リソース配置方法を示す概略図である。
【符号の説明】
【００４０】
１…無線装置  １０…無線リソース割当装置  １１…最適サブバンド割当判定部  １２…ＤＲＣＨ割当判定部  １３…無線リソース割当判定部  ２０…無線リソースマッピング部
【図１】
0005097580.tif 000002
【図２】
0005097580.tif 000003
【図３】
0005097580.tif 000004
【図４】
0005097580.tif 000005